(57)【要約】  【課題】  光学素子（ハーフミラー、グレーティング等）を取付位置に取り付けるときに補助部品や固定治具を用いることなく、前記光学素子を高精度に正確な取付位置に正確な傾角で取り付け固定する。  【解決手段】  ハーフミラー配置部４は平面部４０と、ハーフミラー３のレーザ光が透過するレーザ光出射面３２の両端部３２０が当接する支持壁部４１と、平面部４０の支持壁部４１との接続部には凹溝４２が形成されており、凹溝４２の支持壁部４１と連結する側の内面４２１が形成されているのと反対側は、一定の傾斜角を有する傾斜部４２２が形成されている。【選択図】      図６
2006302385.tif 000002
【特許請求の範囲】
【請求項１】
光ディスクを回転させるスピンドルモータと、前記光ディスクに対してレーザ光を照射
する光ヘッドと、信号を処理するための信号処理装置と、前記光ヘッドにて検出され前記
信号処理装置にて復号化された信号を外部の映像表示部に接続するための外部接続部と、
制御部とを備える光ディスク装置であって、
前記光ヘッドは、レーザ光を照射するレーザ光源と、前記レーザ光を３ビーム化するグ
レーティングと、前記レーザ光の一部を反射し一部を透過するハーフミラーと、前記レー
ザ光を反射するミラーと、前記レーザ光を平行光にするコリメータレンズと、前記レーザ
光を前記光ディスクに照射するための対物レンズと、光を受光し電気信号に変換する受光
素子と、前記対物レンズを保持するアクチュエータと、前記レーザ光源、グレーティング
、ハーフミラー、ミラー、コリメータレンズ及び受光素子が固定されるスライドベースと
を有しており、
前記スライドベースは側面にレーザホルダに圧入された前記レーザ光源を装着する光源
装着部と、前記グレーティング、ハーフミラー、ミラー、コリメータレンズ及び受光素子
を配置しレーザ光が通過するレーザ光通過孔とを有しており、
前記レーザ光通過孔は途中で分岐しており、該分岐部に前記ハーフミラーを配置するた
めのハーフミラー配置部が形成されており、
前記ハーフミラーは底部と、前記底面と直交し入射してきたレーザ光を反射する反射面
と、前記反射面を透過したレーザ光が出射する出射面とを有しており、
前記ハーフミラー配置部は前記ハーフミラーを前記レーザ光源から出射されたレーザ光
はハーフミラーで反射されてミラーに入射し、前記光ディスクで反射してきたレーザ光が
前記ハーフミラーを透過したレーザ光が受光素子に入射するように配置するものであり、
前記ハーフミラーの底面が配置される底部と、前記底面部に立設し前記ハーフミラーの入
射面の両端部を支持する支持壁部と、前記底部の前記支持壁部との連結部に形成され、前
記ハーフミラーの底面が挿入される凹溝とを有しており、
前記凹溝は前記支持壁部と反対側が所定の傾角を有する傾斜部を有しており、前記ハー
フミラーの底面と反射面にて形成される稜線部が前記傾斜部の中段に配置され、前記ハー
フミラーの出射面が前記支持壁部に当接することで該ハーフミラーの位置決め及び傾角の
調整ができることを特徴とする光ディスク装置。
【請求項２】
光ヘッドで光ディスクにレーザ光を照射することでデータを記録、読出しする光ディス
ク装置であって、
前記光ヘッドには光学素子が取り付けられており、前記光ヘッドの光学素子が取り付け
られる部分は、前記光学素子が配置される底部と、前記底部から立設し、前記光学素子の
少なくとも一部が接触支持される支持壁部と、前記底部の前記支持壁部との連結部に形成
され、前記光学素子の一部が挿入される凹溝とを有しており、
前記凹溝は前記支持壁部との連結部の反対側が所定の傾角の傾斜部を有しており、前記
光学素子の底面及び底面と隣り合う面とで構成される稜線部が前記傾斜部の中段に配置さ
れ、前記光学素子が前記支持壁部に当接することで該光学素子の位置決め及び傾角の調整
ができることを特徴とする光ディスク装置。
【請求項３】
前記光学素子はハーフミラーである請求項２に記載の光ディスク装置。
【請求項４】
レーザ光を照射するレーザ光源と、前記レーザ光を３ビーム化するグレーティングと、
前記レーザ光の一部を反射し一部を透過するハーフミラーと、前記レーザ光を反射するミ
ラーと、前記レーザ光を平行光にするコリメータレンズと、前記レーザ光を前記光ディス
クに照射するための対物レンズと、光を受光し電気信号に変換する受光素子と、前記対物
レンズを保持するアクチュエータと、前記レーザ光源、グレーティング、ハーフミラー、
ミラー、コリメータレンズ及び受光素子が固定されるスライドベースとを有しており、
前記スライドベースは側面にレーザホルダに圧入された前記レーザ光源を装着する光源
装着部と、前記グレーティング、ハーフミラー、ミラー、コリメータレンズ及び受光素子
を配置しレーザ光が通過するレーザ光通過孔とを有しており、
前記レーザ光通過孔は途中で分岐しており、該分岐部に前記ハーフミラーを配置するた
めのハーフミラー配置部が形成されており、
前記ハーフミラーは底部と、前記底面と直交し入射してきたレーザ光を反射する反射面
と、前記反射面を透過したレーザ光が出射する出射面とを有しており、
前記ハーフミラー配置部は前記ハーフミラーを前記レーザ光源から出射されたレーザ光
はハーフミラーで反射されてミラーに入射し、前記光ディスクで反射してきたレーザ光が
前記ハーフミラーを透過したレーザ光が受光素子に入射するように配置するものであり、
前記ハーフミラーの底面が配置される底部と、前記底面部に立設し前記ハーフミラーの入
射面の両端部を支持する支持壁部と、前記底部の前記支持壁部との連結部に形成され、前
記ハーフミラーの底面が挿入される凹溝とを有しており、
前記凹溝は前記支持壁部と反対側が所定の傾角を有する傾斜部を有しており、前記ハー
フミラーの底面と反射面にて形成される稜線部が前記傾斜部の中段に配置され、前記ハー
フミラーの出射面が前記支持壁部に当接することで該ハーフミラーの位置決め及び傾角の
調整ができることを特徴とする光ヘッド。
【請求項５】
光ヘッドにレーザ光を照射する光ヘッドであって、前記光ヘッドには光学素子が取り付
けられており、前記光ヘッドの光学素子が取り付けられる部分は、前記光学素子が配置さ
れる底部と、前記底部から立設し、前記光学素子の少なくとも一部が接触支持される支持
壁部と、前記底部の前記支持壁部との連結部に形成され、前記光学素子の一部が挿入され
る凹溝とを有しており、
前記凹溝は前記支持壁部との連結部の反対側が所定の傾角の傾斜部を有しており、前記
光学素子の底面及び底面と隣り合う面とで構成される稜線部が前記傾斜部の中段に配置さ
れ、前記光学素子が前記支持壁部に当接することで該光学素子の位置決め及び傾角の調整
ができることを特徴とする光ヘッド。
【請求項６】
前記光学素子はハーフミラーである請求項５に記載の光ヘッド。
【発明の詳細な説明】
【技術分野】
【０００１】
本発明は、光ディスクにレーザ光を照射することでデータの記録及び（又は）読出しを
行うことができる光ディスク装置に関するものであり、特に前記光ディスクにレーザ光を
照射する光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、レーザ光源Ｌｄから照射されたレーザ光の特定波長の光を取
り出すグレーティングＧｒと、ミラーＭｒと、コリメータレンズＬｃと、対物レンズＬｂ
と、ハーフミラー３と、受光素子Ｐｄとを有している。レーザ光源Ｌｄより照射されたレ
ーザ光グレーティングＧｒにて３ビーム化され、ミラーＭｒで反射されてコリメータレン
ズＬｃに入射する。コリメータレンズＬｃに入射したレーザ光は平行光として出射され対
物レンズＬｂに入射する。対物レンズＬｂに入射したレーザ光は光ディスクＤｓの記録面
に照射される。
【０００４】
このときレーザ光は光ディスクＤｓの記録層に焦点をあわせて、且つ、光軸と光ディス
クＤｓの記録層とが垂直になるようにレーザ光を照射する。ハーフミラー３は入射された
レーザ光の半分を透過し半分を反射するミラーであり、光ディスクＤｓで反射した光を受
光素子Ｐｄに導くものである。受光素子Ｐｄは光を電流に変換するものであり、光の強さ
によってデータを読み取るものである。
【０００５】
図７に従来の光ヘッドの底面図を、図８に図７に示す光ヘッドのハーフミラー配置部の
拡大断面図を示す。光ヘッドＢはスライドベース９１とスライドベース９１に取り付けら
れたアクチュエータ９２とを有している。図７に示すようにスライドベース９１にはレー
ザ光源Ｌｄ、グレーティングＧｒ、ハーフミラー３、ミラーＭｒ、コリメータレンズＬｃ
及び受光素子Ｐｄが取り付けられている。レーザ光源ＬｄはレーザホルダＬｈに圧入固定
された後、スライドベース９１に取り付けられている。
【０００６】
また、アクチュエータ９２はアクトベース９２１と、アクトベース９２１に取付固定さ
れる支持部材９２２と、支持部材９２２にワイヤーばね９２４を介して弾性支持されるレ
ンズホルダ９２３と、レンズホルダ９２３に取り付けられる対物レンズＬｂとを有してい
る。
【０００７】
図８は便宜上光ヘッドの底部が上になるように示されている。図８に示すように、ハー
フミラー３はスライドベース９１のハーフミラー配置部９４の平面部９４０に平面部９４
０に対して所定の角度（ここでは垂直）をなすように取り付けられている。ハーフミラー
３は、底面３０がスライドベース９１のハーフミラー配置部９４の平面部９４０に接触す
るように配置されており、ハーフミラーの両端部を平面部９４０より立設する支持部９４
１と当接するとともに接着されることで、平面部９４０に対して直角に取り付けられる。
【０００８】
レーザ光源Ｌｄ光ヘッドから光ディスクＤｓに対して正確にレーザ光を照射するため、
また、光ディスクＤｓで反射したレーザ光を正確に受光するために、上述の各光学素子は
設置場所及び設置角度を精度よく配置する必要がある。特に、ハーフミラー３の平面部９
４０に対する傾き角度（傾角）には規格があり、光ヘッドＢの光ディスクＤｓへのデータ
の書込み、光ディスクＤｓからのデータの読出しの精度を高くするためには、ハーフミラ
ー３の傾角を厳密に合わせなくてはならない。
【０００９】
そこで、光学素子を取り付けるときの設置場所及び角度の精度を高めるために特開２０
００−１０５９４２号公報及び特開２００４−５４００６号公報に記載の発明に光学素子
を精度よく取り付ける方法が示されている。すなわち、特開２０００−１０５９４２号公
報に記載の発明は、平行平面板（本発明におけるハーフミラー３）の厚さ方向、高さ方向
、長手方向のいずれの方向にも力を付勢し、並行平面板を光学基台（本発明におけるスラ
イドベース）の支持部に押し付ける光学素子支持部品を用いるものを示している。
【００１０】
また、特開２００４−５４００６号公報に記載の発明は、光学素子（本発明におけるハ
ーフミラー３）の底面をハウジング底面に設けられた複数の極小面又は点接触面の支持部
材で支持し、光学素子側面は基準面に密着固定するとともに押圧部材により押圧して取り
付けるものを示している。
【００１１】
取付治具にてハーフミラー３を規定の傾角になるように押えておき、取付治具で押えた
状態でハーフミラー３を接着固定し、固定された後に取付治具を取り外す組立方法も用い
られている。
【特許文献１】特開２０００−１０５９４２号公報
【特許文献２】特開２００４−５４００６号公報
【発明の開示】
【発明が解決しようとする課題】
【００１２】
しかしながら、特開２０００−１０５９４２号公報に記載の発明では平行平面板を配置
するのに光学部品支持部材を、特開２００４−５４００６号公報に記載の発明では光学素
子を押圧固定するための押圧部材が必要となり、光ヘッドの構成部材が増える。また、取
付治具を使う場合、光ヘッドの構成部材は増えないが、取付治具を別途準備しなくてはな
らず、それだけ、組み立てに必要な部材が多くなる。
【００１３】
さらに、上記の組み立て方法では、補助部品（光学部品支持部材、押圧部材）及び固定
冶具（組立治具）を光学素子（平行平面板、ハーフミラー）にあてがわなくてはならない
。このとき、補助部品や固定治具を取り付けるのに手間と時間がかかる。また、光ヘッド
の組み立ては組立機械を用いることで自動化されているが、上述のような補助部品や固定
治具を用いて支持する場合、手作業による取り付けが必要である。手作業による取付を行
うことで、組み立てに手間及び時間がかかり、組み立てコストが高くなる。
【００１４】
また、光ヘッドに光学素子を取り付ける場合、該光学素子の光ヘッド取付位置との接触
面の表面粗さが細かく、レーザ光入射面及び出射面との角度等の精度が高くなくてはなら
ない。また、前記光学素子の取付位置の該光学素子との接触面の表面粗さが細かくなくて
はならない。このことは、前記光学素子とその取付位置の接触面の加工に手間と、時間が
かかり、光ヘッドの組み立てにコストがかかる。また、前記光学素子と前記取付位置との
接触面に異物が介在すると、表面粗さが細かくても、光学素子が傾いて取り付けられてし
まい、前記光学素子の傾角精度が落ちる。
【００１５】
上述のような補助部品や固定治具を自動的に取り付ける組立機械を用いることで手作業
を省くことができるが、新たに組立機械を導入しなくてはならず、大きな設備投資が必要
となり、製造コストが高くなる。
【００１６】
そこで本発明は、光学素子（ハーフミラー、グレーティング等）を取付位置に取り付け
るときに補助部品や固定治具を用いることなく、前記光学素子を高精度に正確な取付位置
に正確な傾角で取り付け固定することができ、それだけ、レーザ光の光ディスクへの照射
及び光ディスクにて反射したレーザ光の受光精度の高い光ヘッド及びこの光ヘッドを用い
た光ディスク装置を提供することを目的とする。
【００１７】
また本発明は、簡単な方法で光学素子（ハーフミラー、グレーティング等）を正確な位
置及び傾角で配置し、組立工程を容易に自動化することができるとともに光学素子の組み
立てによるレーザ光の照射及び受光精度のばらつきを抑制することができる光ヘッド及び
光ヘッドを用いた光ディスク装置を提供することを目的とする。
【課題を解決するための手段】
【００１８】
上記目的を達成するために本発明は、光ディスクを回転させるスピンドルモータと、前
記光ディスクに対してレーザ光を照射する光ヘッドと、信号を処理するための信号処理装
置と、前記光ヘッドにて検出され前記信号処理装置にて復号化された信号を外部の映像表
示部に接続するための外部接続部と、制御部とを備える光ディスク装置であって、前記光
ヘッドは、レーザ光を照射するレーザ光源と、前記レーザ光を３ビーム化するグレーティ
ングと、前記レーザ光の一部を反射し一部を透過するハーフミラーと、前記レーザ光を反
射するミラーと、前記レーザ光を平行光にするコリメータレンズと、前記レーザ光を前記
光ディスクに照射するための対物レンズと、光を受光し電気信号に変換する受光素子と、
前記対物レンズを保持するアクチュエータと、前記レーザ光源、グレーティング、ハーフ
ミラー、ミラー、コリメータレンズ及び受光素子が固定されるスライドベースとを有して
おり、前記スライドベースは側面にレーザホルダに圧入された前記レーザ光源を装着する
光源装着部と、前記グレーティング、ハーフミラー、ミラー、コリメータレンズ及び受光
素子を配置しレーザ光が通過するレーザ光通過孔とを有しており、前記レーザ光通過孔は
途中で分岐しており、該分岐部に前記ハーフミラーを配置するためのハーフミラー配置部
が形成されており、前記ハーフミラーは底部と、前記底面と直交し入射してきたレーザ光
を反射する反射面と、前記反射面を透過したレーザ光が出射する出射面とを有しており、
前記ハーフミラー配置部は前記ハーフミラーを前記レーザ光源から出射されたレーザ光は
ハーフミラーで反射されてミラーに入射し、前記光ディスクで反射してきたレーザ光が前
記ハーフミラーを透過したレーザ光が受光素子に入射するように配置するものであり、前
記ハーフミラーの底面が配置される底部と、前記底面部に立設し前記ハーフミラーの入射
面の両端部を支持する支持壁部と、前記底部の前記支持壁部との連結部に形成され、前記
ハーフミラーの底面が挿入される凹溝とを有しており、前記凹溝は前記支持壁部と反対側
が規定の傾角を有する傾斜部を有しており、前記ハーフミラーの底面と反射面にて形成さ
れる稜線部が前記傾斜部の中段に配置され、前記ハーフミラーの出射面が前記支持壁部に
当接することで該ハーフミラーの位置決め及び傾角の調整ができることを特徴とする。
【００１９】
この構成によると、前記ハーフミラーを底部が凹溝に挿入されるように配置することで
稜線部が傾斜部に沿ってすべり、ハーフミラー配置部に規定の傾角で精度よく配置される
。
【００２０】
また、この構成によると、前記光ヘッドの前記ハーフミラーを、補助部品や固定治具を
用いることなく、簡単に正確な位置、正確な傾角で配置することができる。
【００２１】
さらにこの構成によると、前記ハーフミラーの底面及び該ハーフミラーの底面と当接す
る底面部の加工精度が一定の精度であれば、前記ハーフミラーを正確な位置及び正確な傾
角で配置することができる。
【００２２】
上記目的を達成するため本発明は、光ヘッドで光ディスクにレーザ光を照射することで
データを記録、読出しする光ディスク装置であって、前記光ヘッドには光学素子が取り付
けられており、前記光ヘッドの光学素子が取り付けられる部分は、前記光学素子が配置さ
れる底部と、前記底部から立設し、前記光学素子の少なくとも一部が接触支持される支持
壁部と、前記底部の前記支持壁部との連結部に形成され、前記光学素子の一部が挿入され
る凹溝とを有しており、前記凹溝は前記支持壁部との連結部の反対側が規定の傾角の傾斜
部を有しており、前記光学素子の底面及び底面と隣り合う面とで構成される稜線部が前記
傾斜部の中段に配置され、前記光学素子が前記支持壁部に当接することで該光学素子の位
置決め及び傾角の調整ができることを特徴とする。
【００２３】
この構成によると、前記光学素子を底部が凹溝に挿入されるように配置することで稜線
部が傾斜部に沿ってすべり、光学素子配置部に規定の傾角で精度よく配置される。
【００２４】
また、この構成によると、前記光ヘッドの前記光学素子を、補助部品や固定治具を用い
ることなく、簡単に正確な位置、正確な傾角で配置することができる。
【００２５】
さらにこの構成によると、前記光学素子の底面及び該光学素子の底面と当接する底面部
の加工精度が一定の精度であれば、前記光学素子を正確な位置及び正確な傾角で配置する
ことができる。
【００２６】
上記構成の前記光学素子として、ハーフミラー、グレーティング等を挙げることができ
る。また、これらに限定されるものではなく、平面部に所定の角度で配置される光学素子
の取り付けに広く採用することができる。
【００２７】
上記構成の規定の傾角として、例えば４５°を採用することができる。また、４５°だ
けでなく、光学素子配置部に光学素子を配置するときに光学素子が、前記支持壁部と反対
側に倒れない角度を広く採用することができる。
【００２８】
上記目的を達成するため本発明はレーザ光を照射するレーザ光源と、前記レーザ光を３
ビーム化するグレーティングと、前記レーザ光の一部を反射し一部を透過するハーフミラ
ーと、前記レーザ光を反射するミラーと、前記レーザ光を平行光にするコリメータレンズ
と、前記レーザ光を前記光ディスクに照射するための対物レンズと、光を受光し電気信号
に変換する受光素子と、前記対物レンズを保持するアクチュエータと、前記レーザ光源、
グレーティング、ハーフミラー、ミラー、コリメータレンズ及び受光素子が固定されるス
ライドベースとを有しており、前記スライドベースは側面にレーザホルダに圧入された前
記レーザ光源を装着する光源装着部と、前記グレーティング、ハーフミラー、ミラー、コ
リメータレンズ及び受光素子を配置しレーザ光が通過するレーザ光通過孔とを有しており
、前記レーザ光通過孔は途中で分岐しており、該分岐部に前記ハーフミラーを配置するた
めのハーフミラー配置部が形成されており、前記ハーフミラーは底部と、前記底面と直交
し入射してきたレーザ光を反射する反射面と、前記反射面を透過したレーザ光が出射する
出射面とを有しており、前記ハーフミラー配置部は前記ハーフミラーを前記レーザ光源か
ら出射されたレーザ光はハーフミラーで反射されてミラーに入射し、前記光ディスクで反
射してきたレーザ光が前記ハーフミラーを透過したレーザ光が受光素子に入射するように
配置するものであり、前記ハーフミラーの底面が配置される底部と、前記底面部に立設し
前記ハーフミラーの入射面の両端部を支持する支持壁部と、前記底部の前記支持壁部との
連結部に形成され、前記ハーフミラーの底面が挿入される凹溝とを有しており、前記凹溝
は前記支持壁部と反対側が所定の傾角を有する傾斜部を有しており、前記ハーフミラーの
底面と反射面にて形成される稜線部が前記傾斜部の中段に配置され、前記ハーフミラーの
出射面が前記支持壁部に当接することで該ハーフミラーの位置決め及び傾角の調整ができ
ることを特徴とする光ヘッドを提供する。
【００２９】
この構成によると、前記ハーフミラーを底部が凹溝に挿入されるように配置することで
稜線部が傾斜部に沿ってすべり、ハーフミラー配置部に規定の傾角で精度よく配置される
。
【００３０】
また、この構成によると、前記光ヘッドの前記ハーフミラーを、補助部品や固定治具を
用いることなく、簡単に正確な位置、正確な傾角で配置することができる。
【００３１】
さらにこの構成によると、前記ハーフミラーの底面及び該ハーフミラーの底面と当接す
る底面部の加工精度が一定の精度であれば、前記ハーフミラーを正確な位置及び正確な傾
角で配置することができる。
【００３２】
上記目的を達成するために本発明は、光ヘッドにレーザ光を照射する光ヘッドであって
、前記光ヘッドには光学素子が取り付けられており、前記光ヘッドの光学素子が取り付け
られる部分は、前記光学素子が配置される底部と、前記底部から立設し、前記光学素子の
少なくとも一部が接触支持される支持壁部と、前記底部の前記支持壁部との連結部に形成
され、前記光学素子の一部が挿入される凹溝とを有しており、前記凹溝は前記支持壁部と
の連結部の反対側が所定の傾角の傾斜部を有しており、前記光学素子の底面及び底面と隣
り合う面とで構成される稜線部が前記傾斜部の中段に配置され、前記光学素子が前記支持
壁部に当接することで該光学素子の位置決め及び傾角の調整ができることを特徴とする光
ヘッド。
【００３３】
この構成によると、前記光学素子を底部が凹溝に挿入されるように配置することで稜線
部が傾斜部に沿ってすべり、光学素子配置部に規定の傾角で精度よく配置される。
【００３４】
また、この構成によると、前記光ヘッドの前記光学素子を、補助部品や固定治具を用い
ることなく、簡単に正確な位置、正確な傾角で配置することができる。
【００３５】
さらにこの構成によると、前記光学素子の底面及び該光学素子の底面と当接する底面部
の加工精度が一定の精度であれば、前記光学素子を正確な位置及び正確な傾角で配置する
ことができる。
【００３６】
上記構成の前記光学素子として、ハーフミラー、グレーティング等を挙げることができ
る。また、これらに限定されるものではなく、平面部に所定の角度で配置される光学素子
の取り付けに広く採用することができる。
【００３７】
上記構成の規定の傾角として、例えば４５°を採用することができる。また、４５°だ
けでなく、光学素子配置部に光学素子を配置するときに光学素子が、前記支持壁部と反対
側に倒れない角度を広く採用することができる。
【発明の効果】
【００３８】
本発明によると、光学素子（ハーフミラー、グレーティング等）を取付位置に取り付け
るときに補助部品や固定治具を用いることなく、前記光学素子を高精度に正確な取付位置
に正確な傾角で取り付け固定することができ、それだけ、レーザ光の光ディスクへの照射
及び光ディスクにて反射したレーザ光の受光精度の高い光ヘッド及びこの光ヘッドを用い
た光ディスク装置を提供することができる。
【００３９】
また本発明によると、簡単な方法で光学素子（ハーフミラー、グレーティング等）を正
確な位置及び傾角で配置し、組立工程を容易に自動化することができるとともに光学素子
の組み立てによるレーザ光の照射及び受光精度のばらつきを抑制することができる光ヘッ
ド及び光ヘッドを用いた光ディスク装置を提供することができる。
【発明を実施するための最良の形態】
【００４０】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、光ディスク（ＤＶＤ記録媒体）
Ｄｓを回転させるスピンドルモータＳｐと、光ディスクＤｓに光を照射し情報を読出す光
ヘッドＡと、光ヘッドＡで検出された信号を復号化するデコーダＤｃと、外部の表示装置
であるモニタＭｎに接続するための外部接続部Ｏｃと、制御部Ｃｏｎｔとを備えている。
【００４１】
ＤＶＤプレーヤＰＬは制御部Ｃｏｎｔによって制御されており、使用者よりＤＶＤを再
生する命令がなされると、まず、スピンドルモータＳｐを駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００４２】
図２に光ヘッドの一例の配置図を示す。図２に示す光ヘッドはそれには限定されないが
ここでは、光ディスクに記録されているデータを読出す読出し専用の光ヘッドである。図
２に示すようにレーザ光源Ｌｄと、レーザ光源Ｌｄから照射されたレーザ光の特定波長の
光を取り出すグレーティングＧｒと、ミラーＭｒと、コリメータレンズＬｃと、対物レン
ズＬｂと、ハーフミラー３と、受光素子Ｐｄとを有している。レーザ光源Ｌｄより照射さ
れたレーザ光グレーティングＧｒにて特定波長だけ抽出され、ミラーＭｒで反射されてコ
リメータレンズＬｃに入射する。コリメータレンズＬｃに入射したレーザ光は平行光とし
て出射され対物レンズＬｂに入射する。対物レンズＬｂに入射したレーザ光は光ディスク
Ｄｓの記録面に照射される。
【００４３】
このときレーザ光は光ディスクＤｓの記録層に焦点をあわせて、且つ、光軸と光ディス
クＤｓの記録層とが垂直になるようにレーザ光を照射する。ハーフミラー３は入射された
レーザ光の半分を透過し半分を反射するミラーであり、光ディスクＤｓで反射した光を受
光素子Ｐｄに導くものである。受光素子Ｐｄは光を電流に変換するものであり、光の強さ
によってデータを読み取るものである。光ディスクにデータを記録することのできる光ヘ
ッドも基本的に同様の構成である。上述の各部材へのレーザ光の照射順序はこれに限定さ
れるものではなく、可能な範囲で順序が入れ替わっているものであっても良い。
【００４４】
図３に本発明にかかる光ヘッドの平面図を、図４に図３に示す光ヘッドの底面図を、図
５に図３に示す光ヘッドの断面図を示す。図３、図４、図５に示す光ヘッドＡは、スライ
ドベース１と、アクチュエータ２とを有している。
【００４５】
スライドベース１は側面にレーザ光源Ｌｄを装着する光源装着部１１と、光学素子を配
置しレーザ光が通過するレーザ光通過孔１２と、アクチュエータ２を取り付けるアクチュ
エータ取付部１３と、スライドベース１の摺動方向に配置された摺動軸Ａｘと摺動可能に
係合する摺動孔１４と、スライドベース１を摺動方向に往復動するように駆動する駆動機
構１５とを有している。
【００４６】
光源装着部１１はレーザ光通過孔１２と連通するための光源孔１１１が形成されており
、レーザ光源Ｌｄより出射されたレーザ光は光源孔１１１を通過してレーザ光通過孔１２
に入射する。ここでレーザ光源ＬｄはレーザホルダＬｈに圧入固定されており、レーザホ
ルダＬｈを光源装着部１１に、レーザ光源Ｌｄのレーザ光が出射する部分が面するように
取り付けることで、光ヘッドＡにレーザ光を取り付けられるものである。レーザホルダＬ
ｈはここでは、ボルトＢｔにて光源装着部１１に固定される。また、ボルトＢｔによる固
定方法以外にも、レーザホルダＬｈが光源装着部１１に確実に固定できる固定方法を広く
採用することができる。
【００４７】
レーザ光通過孔１２は光源孔１１１を通過したレーザ光が遮られること無く通過するた
めに形成されている。レーザ光通過孔１２はレーザ光源Ｌｄに近いほうからグレーティン
グＧｒを配置するためのグレーティング配置部１２１、ハーフミラー３を配置するための
ハーフミラー配置部４、ミラーＭｒを配置するためのミラー配置部１２３が形成されてい
る。
【００４８】
レーザ光通過孔１２はハーフミラー配置部４でスライドベース１の上面に沿って屈曲し
、さらに、ミラー配置部１２３でスライドベース１の上面に向けて屈曲しており、レーザ
光通過孔１２の端部にはコリメータレンズＬｃが取り付けられている。また、レーザ光通
過孔１２はハーフミラー配置部４で受光孔１２２に分岐しており、受光孔１２２には受光
素子Ｐｄが配置されている（図４参照）。
【００４９】
駆動機構１５は光ヘッドＡの摺動方向に配置されるラックギア１５１と、ラックギア１
５１と歯合するピニオンギア１５２とを有している。ピニオンギア１５２は図示を省略し
たモータ等の原動機と連結されており、ピニオンギア１５２が回転し、その回転をラック
ギア１５１に伝達することで光ヘッドＡを駆動する。
【００５０】
ハーフミラー３は入射したレーザ光のうち半分を透過し、半分を反射するものである。
すなわち、レーザ光源Ｌｄより出射され、グレーティングＧｒを通過したレーザ光のうち
半分が反射して、ミラーＭｒに入射する。また、光ディスクＤｓで反射され、ミラーＭｒ
にて反射されてきたレーザ光のうち半分がハーフミラー３を透過して、受光素子Ｐｄに入
射する。
【００５１】
ハーフミラー３は直方体形状を有するプリズムであり、底面３０と、底面３０と直交し
、入射するレーザ光の半分を反射する反射面３１と、反射面３１と平行に形成され、反射
面３１を透過したレーザ光が出射する出射面３２とを有している。
【００５２】
グレーティングＧｒから出射したレーザ光がハーフミラー３に入射する。入射したレー
ザ光のうち半分は反射面３１で反射され、進行方向が曲げてミラーＭｒに入射する。また
、ミラーＭｒで反射されハーフミラー３に入射したレーザ光のうち半分は反射面３１を透
過し出射面３２より受光孔１２２に出射される。
【００５３】
このようにハーフミラー３はレーザ光通過孔１２が屈曲し、分岐する部分に取り付けら
れ、３方向にレーザ光を屈曲させるものであるので、スライドベース１のハーフミラー配
置部４はハーフミラー３の両端部を支持し、ハーフミラー３にて反射されるレーザ光及び
ハーフミラー３を透過するレーザ光の通過を妨げない形状になっている。また、ハーフミ
ラー３はスライドベース１のレーザ光通過孔１２の底面に底面に対して規定の角をなすよ
うに配置される。
【００５４】
ミラーＭｒはハーフミラー３で反射したレーザ光をコリメータレンズＬｃに反射するよ
うに傾けて取り付けられている（図5参照）。ミラーＭｒで反射したレーザ光はコリメー
タレンズＬｃに入射し平行光になる。スライドベース１の表側にはアクチュエータ２が取
り付けられており、アクチュエータ２は、レーザ光が対物レンズＬｂに入射するように配
置されている。
【００５５】
アクチュエータ２はアクトベース２１と、アクトベース２１に取り付けられる支持部材
２２と、対物レンズＬｂを保持するレンズホルダ２３と、支持部材２２及びレンズホルダ
２３に取り付けられ、レンズホルダ２３をアクトベース２１に接触しないように支持する
ワイヤーばね２４とを有している。
【００５６】
アクトベース２１にはレンズホルダ２３に磁界を作用させるための永久磁石（図示省略
）が取り付けられている。レンズホルダ２３は中央に貫通孔２３０を有しており、貫通孔
２３０には対物レンズＬｂが取り付けられている。また、レンズホルダ２３には図示を省
略したトラッキングコイル及びフォーカシングコイルとが備えられている。
【００５７】
レンズホルダ２３に接続しているワイヤーばね２４はレンズホルダ２３を弾性支持する
のみでなく、上述のトラッキングコイル及びフォーカシングコイルに電力を供給する電力
供給用の線としても利用される。ワイヤーばね２４よりトラッキングコイルに電力が供給
されると、トラッキングコイルは永久磁石が作り出す磁界の中に配置されているので、電
磁気力にて光ディスクＤｓの半径方向（トラッキング方向）にレンズホルダ２３（対物レ
ンズＬｂ）を駆動する。
【００５８】
フォーカシングコイルも同様に永久磁石の磁界とコイルに流れる電流によって電磁気力
が発生し光ディスクＤｓのディスク面に対して直角方向（フォーカシング方向）にレンズ
ホルダ２３（対物レンズＬｂ）を駆動する。これにより、光ディスクＤｓの所定の位置に
レーザスポットをレーザ光を調整することができる。
【００５９】
図６（Ａ）に本発明にかかる光ヘッドのハーフミラー配置部の拡大底面図を、図６（Ｂ
）に図６（Ａ）に示す光ヘッドのハーフミラー配置部の拡大断面図を示す。図６（Ａ）、
（Ｂ）に示すようにハーフミラー配置部４は平面部４０と、ハーフミラー３のレーザ光が
透過するレーザ光出射面３２の両端部３２０が当接する支持壁部４１とを有している。平
面部４０の支持壁部４１との接続部には凹溝４２が形成されている。
【００６０】
凹溝４２の支持壁部４１と連結する側の内面４２１は支持壁部４１のハーフミラー３と
接触する面と同一平面になるように形成されている。また、内面４２１が形成されている
のと反対側は、一定の角度（それには限らないが、ここでは４５°）の傾斜角を有する傾
斜部４２２が形成されている。
【００６１】
ハーフミラー３がハーフミラー配置部４に配置される場合、ハーフミラー３の底面は凹
溝４２の一部に挿入される。凹溝４２の傾斜部４２２とハーフミラー３のレーザ光が反射
する反射面３１及びハーフミラー３の底面３０にて形成される稜線３１０が凹溝４２の傾
斜部４２２の中段に配置される。ハーフミラー３は稜線３１０が傾斜部４２２に押されて
ハーフミラー配置部４の支持壁部４１に向けて力が作用し、稜線３１０が傾斜部４２２に
沿ってスライドする。このとき傾斜部４２２の角度が適切であれば、ハーフミラー３が稜
線３１０を中心に、底面３０が傾斜部４２２に接触する方向に倒れる方向に力が付与する
。
【００６２】
これにより、ハーフミラー３は出射面３２がハーフミラー配置部４の支持壁部４１に正
確に当接して配置される。換言すると、ハーフミラー３は底部３０が凹溝４２に入るよう
にハーフミラー配置部４に配置することで、ハーフミラー３の出射面３２を支持壁部４１
に当接するように配置することができる。
【００６３】
これにより、支持壁部４１を正しい傾角になるように形成しておけば、ハーフミラー３
の出射面３２を支持壁部４１に沿わせることができるので、配置するときに傾角の細かい
調整を行うことなく高い精度でハーフミラー３を配置することができる。この状態でレー
ザ光の反射及び透過に影響しない部分に接着剤を塗布することでハーフミラー３をスライ
ドベース１に正確な傾角で取り付けることが可能である。
【００６４】
ハーフミラー３は底面３０が凹溝４２の底面部４２３と接触しない状態でハーフミラー
配置部４に配置され、接着固定されるので、ハーフミラー３の底面３０及び凹溝４２の底
面部４２３の表面の粗さがある程度粗くても、ハーフミラー３の反射面３１及び出射面３
２の平面部４０に対する傾角を精度よく調整することができる。また、ハーフミラー３の
底面３０と凹溝４２の底面部４２３との間に間隙があるので、一定の大きさ以下の塵、埃
等の異物が介在しても、ハーフミラー３の反射面３１及び出射面３２の平面部４０に対す
る傾角を精度よく調整することができる。
【００６５】
このことにより、ハーフミラー３の底面３０及び（又は）ハーフミラー配置部４の平面
部４０の加工精度が多少低くても、光ヘッドＡの光ディスクＤｓからのデータの読出し及
び（又は）データの書込みを正確に行うことができる。
【００６６】
上記実施例において、ハーフミラー配置部４の平面部４０に形成された凹溝４２の傾斜
部４２２の傾斜角として４５°であるものを示しているが、それに限定されるものではな
い。ハーフミラー３の反射面３１が傾斜部４２２に沿う方向に傾倒しない角度を広く採用
することができる。
【００６７】
上記実施例において光学素子としてハーフミラー３を例に説明してきたが、それに限定
されるものではなく、光ヘッドのスライドベース１の平面部に所定の角度で立設配置され
る光学素子に対して広く採用することができる。
【産業上の利用可能性】
【００６８】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００６９】
【図１】本発明にかかる光ディスク装置の配置図である。
【図２】光ヘッドの一例の配置図である。
【図３】本発明にかかる光ヘッドの平面図である。
【図４】図３に示す光ヘッドの底面図である。
【図５】図３に示す光ヘッドをＸ−Ｘ線で切った断面の断面図である。
【図６】図（Ａ）に本発明にかかる光ヘッドのハーフミラー配置部の拡大底面図であり、図（Ｂ）に図（Ａ）に示す光ヘッドのハーフミラー配置部の拡大断面図である。
【図７】従来の光ヘッドの底面図である。
【図８】図７に示す光ヘッドのハーフミラー配置部の拡大断面図である。
【符号の説明】
【００７０】
Ｄｓ  光ディスク
Ｍｒ  ミラー
Ｌｄ  レーザ光源
Ｐｄ  受光部
１  スライドベース
１１  光源装着部
１２  レーザ光通過孔
１２１  グレーティング配置部
１２２  受光孔
１２３  ミラー配置部
１３  アクチュエータ取付部
１４  摺動孔
１５  駆動機構
１５１  ラックギア
１５２  ピニオンギア
２  アクチュエータ
２１  アクトベース
２２  支持部材
２３  レンズホルダ
２４  ワイヤーばね
３  ハーフミラー
３０  底面
３１  反射面
３１０  稜線
３２  出射面
４  ハーフミラー配置部
４０  平面部
４１  支持壁部
４２  凹溝
４２１  内面
４２２  傾斜部
【図１】
2006302385.tif 000003
【図２】
2006302385.tif 000004
【図３】
2006302385.tif 000005
【図４】
2006302385.tif 000006
【図５】
2006302385.tif 000007
【図６】
2006302385.tif 000008
【図７】
2006302385.tif 000009
【図８】
2006302385.tif 000010